(57)【要約】      （修正有）【課題】応急給水用に簡易に使用できる給水栓セットを提供する。【解決手段】一端が給水源の取水口１１に接続される接続管２と、接続管２の他端に接続される分岐管３と、分岐管３に接続される水栓管４と、水栓管４に接続される水栓５と、各管及び水栓を組立てた状態で支持する折畳み式のスタンド７とを１組のセットにしておき、さらに各管及び水栓の接続部にワンタッチ式の接続口（挿口Ａ，受口Ｂ）を設けていることにより、一般人でも簡単に給水栓設備を組立てることができる。【選択図】図１
0003135891.tif 000002
【実用新案登録請求の範囲】
【請求項１】
一端が給水源（１）の取水口（１１）に接続される接続管（２）と、該接続管（２）の他端に接続される分岐管（３）と、該分岐管（３）に接続される水栓管（４）と、該水栓管（４）に接続される水栓（５）と、上記各管（２，３，４）及び水栓（５）を組立てた状態で支持する折畳み式のスタンド（７）とを１組のセットにしているとともに、
上記各管（２，３，４）及び水栓（５）の接続部には、差込むことで水密状態に接続できるワンタッチ式の接続口（Ａ，Ｂ）を設けていることを特徴とする簡易給水栓セット。
【請求項２】
請求項１において、接続管（２）と分岐管（３）との間に介設される、三方に接続口を有した分岐用継手（６）を付加したことを特徴とする簡易給水栓セット。
【考案の詳細な説明】
【技術分野】
【０００１】
本考案は、応急給水や仮設給水などを必要とする場所において、消火栓や散水栓等の給水源に接続して、水栓（蛇口）から取水し得るようにした簡易給水栓セットに関するものである。
【背景技術】
【０００２】
例えば、大規模な災害が発生して家庭の蛇口が使えなくなったときには、住民に対して生活用水（特に飲料水）の補給が緊急課題の１つになるが、その場合、現場に給水車や水槽（ウォータバルーンを含む）を配送したり、消火栓や散水栓に給水設備を接続してその給水源から取水することが行われている。
【０００３】
ところが、給水車や水槽を配送するには、現場までの交通路が確保されている必要があるとともに、災害地域が広範囲の場合には多数の給水車や水槽を手配する必要がある。
【０００４】
他方、消火栓や散水栓等の給水源を利用する場合には、特定（水道）技術者が各種資材（接続管、継手管、分岐管、水栓、スタンド等）を専用の工具を用いて接続・組立て等の工事を行うが、緊急時には特定（水道）技術者の手配が難しく、且つ資材の調達や資材組立て工事に手間取り、消火栓や散水栓から取水できるようになるまでに多大の時間や労力がかかっているのが現状である。
【０００５】
又、消火栓から取水するようにした緊急用給水栓として、従来から、実用新案登録第３１１４８７４号公報（特許文献１）のものが知られている。
【０００６】
この特許文献１の緊急用給水栓は、地下又は地上に設置されている消火栓に対して、接続金具、主管、ユニオン、分岐管、水栓等の各資材を順次接続して、該水栓（蛇口）から取水し得るようにしている。尚、各資材（接続金具、主管、ユニオン、分岐管、水栓等）の接続は、主としてネジ結合で行うようになっている。
【０００７】
【特許文献１】実用新案登録第３１１４８７４号公報
【考案の開示】
【考案が解決しようとする課題】
【０００８】
ところで、上記特許文献１の緊急用給水栓では、次のような問題があった。まず、各資材（接続金具、主管、ユニオン、分岐管、水栓等）を予めセットにしていない場合には、それらの資材を調達するのに時間がかかる。又、各資材は、主としてネジ結合で接続するようになっているが、ネジ結合の場合は止水のためにネジ部に止水テープを巻いて螺合させる必要があり、そのネジ結合作業にはかなりの熟練を要するとともに、緊急用給水栓が完成するまでにかなりの時間がかかるという問題があった。
【０００９】
そこで、本考案は、予め緊急用給水栓として必要な各資材をセットにしておくとともに、各資材を一般人でも簡単に接続・組立てできるようにした簡易給水栓セットを提供することを目的としてなされたものである。
【課題を解決するための手段】
【００１０】
本考案は、上記課題を解決するための手段として次の構成を有している。尚、本考案は、応急給水や仮設給水などを必要とする場所において、消火栓や散水栓等の給水源に接続して、水栓（蛇口）から取水し得るようにした簡易給水栓セットを対象にしている。
【００１１】
そして、本考案の簡易給水栓セットは、一端が給水源の取水口に接続される接続管と、該接続管の他端に接続される分岐管と、該分岐管に接続される水栓管と、該水栓管に接続される水栓と、上記各管及び水栓を組立てた状態で支持する折畳み式のスタンドとを１組のセットとして構成されている。即ち、上記した接続管と分岐管と水栓管と水栓とスタンドとがあれば、消火栓や散水栓等の給水源から取水するための給水栓設備を構成できる。
【００１２】
この給水栓設備を構成する各資材は、それぞれ市販品であるが、それらを予め１組のセットにしておくことにより、緊急時にも速やかに対応できる（必要資材を個別に調達する必要がなくなる）。尚、１組の給水栓セットは、各資材を一まとめにして収納バックに入れておけば、緊急持ち出しに便利である。
【００１３】
又、本考案では、上記各管（接続管、分岐管、水栓管）及び水栓の接続部には、差込むことで水密状態に接続できるワンタッチ式の接続口を設けている。この種のワンタッチ式接続継手は市販品であるが、各資材の接続部に予めワンタッチ式接続継手を取付けておくことにより、一般人でも各資材の接続を簡単に行える。又、組立てた給水栓設備が不要になったときには、分解して撤去するが、接続部分にワンタッチ式接続継手を使用していると、分解作業も簡単に行える。尚、分解した各資材は、そのままセット状態で保管しておけば、次の必要時に再使用できる。
【００１４】
又、本考案の簡易給水栓セットには、上記種類の各資材に、接続管と分岐管との間に介設される三方に接続口を有した分岐用継手を付加することができる。
【００１５】
このように、三方接続口を有した分岐用継手があると、接続管と分岐管とを分岐用継手で接続した状態で、残りの接続口に別の簡易給水栓セットの接続管を接続できる。従って、本願の簡易給水栓セットを複数セット用意しておけば、後述する実施例（図４及び図５）のように１つの給水源に対して順次複数の給水栓設備を接続できる。
【考案の効果】
【００１６】
本考案の簡易給水栓セットは、次のような効果を有している。
【００１７】
まず、上記のように消火栓や散水栓等の給水源から取水するための給水栓設備を構成する全資材をセットにしたものであるから、この簡易給水栓セットだけで給水栓設備を組立てることができ、緊急時であっても迅速に対応できる。
【００１８】
又、各資材（接続管、分岐管、水栓管、水栓）の接続部にワンタッチ式（差込むだけで水密状態に接続できる）の接続口を設けているので、一般人でも簡単に組立てることができ、しかもその組立て作業が短時間で行える。尚、不要になったときの分解作業も容易である。
【００１９】
さらに、三方接続口を有する分岐用継手を付加したものでは、この簡易給水栓セットを複数セット用意しておくことにより、１つの給水源に対して順次複数の給水栓設備を接続でき、同時に多数箇所の水栓（蛇口）を使用できる。
【考案を実施するための最良の形態】
【００２０】
以下、図１〜図５を参照して本願の好適な実施例を説明すると、図１には本願実施例の簡易給水栓セットの各資材を示している。尚、この実施例では、図２〜図４に示すように、給水源が地中の水道管１であり、取水のための接続口として消火栓や散水栓の取水口１１が採用されている。
【００２１】
図１の簡易給水栓セットは、給水源１の取水口１１に接続される１本の接続管２と、該接続管２の他端に接続される１本の接続分岐管３と、該分岐管３に接続される２本の水栓管４，４と、該各水栓管４，４に接続される合計４個の水栓５，５・・と、三方に接続口を有した分岐用継手６と、上記各管（接続管２，分岐管３，各水栓管４，４）や各水栓５，５・・を組立てた状態で支持する折畳み式のスタンド７とを１組として構成されている。尚、これらの各資材は、１つの収納バック９に収納して保管しておくと、必要時の持ち出しが便利になる。
【００２２】
接続管２には、ゴム又は軟質プラスチック等の可撓性（フレキシブル）のあるチューブが使用されている。尚、この接続管２の長さは１ｍ弱程度のものでよいが、収納バック９の長さより長い場合には、該接続管２をＵ形に屈曲させてバック９内に収納することができる。
【００２３】
この接続管２には、その一端に給水源（水道管）１の取水口１１（図３又は図４）に接続される挿口Ａが取付られ、他端に受口Ｂが取付けられている。
【００２４】
分岐管３は、硬質パイプ製（樹脂製でも金属製でも可）で、４０〜５０cm程度の長さを有している。尚、この分岐管３の長さは特に限定するものではなく、適宜に変更可能である。
【００２５】
分岐管３には、その中間位置に接続管２の受口Ｂを接続する挿口Ａが取付けられている一方、両端にそれぞれ受口Ｂ，Ｂが取付けられている。
【００２６】
２本の水栓管４，４は、それぞれ硬質パイプ製（樹脂製でも金属製でも可）で、３０〜４０cm程度の長さを有している（この各水栓管４，４の長さも特に限定するものではなく、適宜に変更可能である）。
【００２７】
各水栓管４，４には、その中間位置に１つの挿口Ａが取付けられている一方、その両端にそれぞれ受口Ｂ，Ｂが取付けられている。各水栓管４，４の挿口Ａと受口Ｂ，Ｂとは、相互に反対方向に向けて取付けられている。
【００２８】
各水栓管４，４の挿口Ａは、分岐管３の各端部の受口Ｂに接続されるものである。又、各水栓管４，４の受口Ｂ，Ｂは、水栓５の挿口Ａを接続するものである。尚、この実施例では、水栓管４の受口Ｂは、その両端の２箇所に設けているが、水栓管４の長さを長くすれば３箇所以上に受口Ｂを設けることもできる。
【００２９】
水栓５は、２本の水栓管４，４にそれぞれ２箇所の受口Ｂ，Ｂを設けている関係で、合計４個使用している。この各水栓５，５・・の基端部には、それぞれ挿口Ａが取付けられている。
【００３０】
分岐用継手６は、三方に接続口を有するＴ形管が使用されている。この分岐用継手６には、その対向する両端部の一方に挿口Ａと他方に受口Ｂとが取付けられ、もう１つの接続口に受口Ｂが取付けられている。
【００３１】
スタンド７は、２本のバー材を中間位置で枢支した左右一対のＸ型脚７１，７１を有し、且つ該各Ｘ型脚７１，７１をクロスリンク７２で近接・離間方向に開閉させ得るように連結している。各Ｘ型脚７１，７１は、それぞれ各バー材を図１に示す重合状態と、図２〜図４に示すようにＸ型に開脚する状態との間で開閉できるようになっている。尚、Ｘ型脚７１を構成する各バー材の長さは、７０〜８０cm程度が適当であり、図２〜図４に示すようにＸ型に開脚させたときにバー材の上端高さ（水栓５の設置高さとなる）が例えば５０〜６０cm程度になるようにするとよい。４本の各バー材の上端部寄り位置には、それぞれ水栓管４を横向き姿勢で嵌入・保持させ得る支持部７３が形成されている。
【００３２】
そして、このスタンド７は、保管時には図１に示すように各Ｘ型脚７１，７１及びクロスリンク７２を畳むことでコンパクトにでき、使用時には図２〜図４に示すように４本のバー材を開脚させ得るようになっている。尚、このスタンド７は、組立てた給水栓セットを安定姿勢で支持でき、不使用時にコンパクトに折畳めるものであれば、適宜の構造のもが採用可能である。又、このスタンド７には、図２に示す開脚状態で姿勢維持させるための適宜のロック機構を設けるとよい。
【００３３】
この実施例の簡易給水栓セットでは、接続管２、分岐管３、各水栓管４，４、各水栓５，５・・、分岐用継手６等は、挿口Ａを相手側の受口Ｂに差込む（レバーでロックする）だけで水密状態で接続できるようなっている。尚、この種の挿口Ａ及び受口Ｂは、市販品であり、本願では挿口Ａや受口Ｂを予め各管又は水栓に取付けている。
【００３４】
この実施例の簡易給水栓セットは、図１に示す各パーツ（接続管２、分岐管３、２本の水栓管４，４、４個の水栓５，５・・、分岐用継手６）を一まとめにして収納バック９内に収納しておき、スタンド７も折畳み状態で収納バック９に添わせて梱包した状態で保管しておく。尚、スタンド７が収納バック９内に入る長さであれば、該スタンド７も収納バック９内に収納しておく。又、この簡易給水栓セットは複数セット用意しておき、災害等の程度に応じて、１箇所（１つの給水源）に複数セットの給水栓設備Ｙを接続して多人数が同時使用できるようにするとよい。
【００３５】
災害発生時等で緊急に給水栓が必要になった場合には、図１の給水栓セットを必要セット数だけ使用現場まで運び、その使用現場の給水源１（例えば消火栓や散水栓）の取水口１１付近でこの給水栓セットを図２に示すように組立てる。尚、使用現場に給水栓設備Ｙが１セットだけでよい場合には、図２及び図３に示すように分岐用継手６（図１）は不要であり、該給水栓設備Ｙが複数必要な場合には、図４に示すように接続管２と分岐管３との間に分岐用継手６を介在させる。
【００３６】
この簡易給水栓セットの組立て作業は特に順序はないが、例えば図２及び図３に示す１セットのみを使用する場合では、接続管２の受口Ｂに分岐管３の挿口Ａを接続し、分岐管３の各受口Ｂ，Ｂにそれぞれ水栓管４，４の中間位置にある各挿口Ａを接続し、各水栓管４，４の受口Ｂ（４箇所）にそれぞれ水栓５の挿口Ａを接続して給水栓部分を組立てておく。他方、スタンド７は、図２に示すように開脚させる。そして、組立てた給水栓の各水栓管４，４部分を開脚させたスタンド７の各支持部７３，７３・・に嵌入させることで、組立て給水栓を支持し、最後に図３に示すように接続管２の下端の挿口Ａを給水源１（給水栓ボックス１０）の取水口１１の受口Ｂに接続すると、この給水栓設備Ｙの組立てが完了する。尚、給水栓設備Ｙの組立て後、給水栓ボックス１０内のバルブ１２（図３）を開放すると、各水栓５，５・・から取水することができる。
【００３７】
又、１箇所の取水口１１に複数の給水栓設備Ｙを接続する場合には、図４に示すように接続管２と分岐管３との間に分岐用継手６を介設し、該分岐用継手６の空き受口Ｂに別の給水栓セットの接続管２（挿口Ａ）を接続する。そして、分岐用継手６に接続した接続管２の受口Ｂを、別の組立て給水栓の分岐管３の挿口Ａに接続することにより、例えば図５に示すように１箇所の給水栓ボックス１０に対して順次複数の給水栓設備Ｙを連続して設置できる。
【００３８】
このように、本願実施例の簡易給水栓セットでは、給水栓設備Ｙを構成する各資材を予め１組のセットにしているので、緊急時にも速やかに対応できる（必要資材を個別に調達する必要がなくなる）。尚、１組の給水栓セットは、各資材を一まとめにして収納バックにいれておけば、緊急持ち出しに便利である。
【００３９】
又、上記各管（接続管２、分岐管３、水栓管４）及び水栓５の接続部には、差込むことで水密状態に接続できるワンタッチ式の接続口（挿口Ａと受口Ｂ）を設けているので、一般人でも工具なしで簡単に組立てることができる。又、組立てた給水栓設備が不要になったときには、分解して撤去するが、接続部分にワンタッチ式接続継手を使用していると、分解作業も簡単に行える。尚、分解した各資材は、そのままセット状態で保管しておけば、次の必要時に再使用できる。
【００４０】
又、この簡易給水栓セットでは、接続管２と分岐管３との間に分岐用継手６を介設できるようになっているので、１箇所の給水源（取水口１１）に対して複数の給水栓設備Ｙを順次接続して使用することができ、多人数が一度に取水する場合にも対応できる。
【００４１】
尚、本願の簡易給水栓セットでは、給水源として消火栓や散水栓のほかに給水車や水槽（ウォーターバルーン）も使用可能であり、用途の広いものである。
【図面の簡単な説明】
【００４２】
【図１】本願実施例の簡易給水栓セットの構成パーツを示す図である。
【図２】図１の簡易給水栓セットにおける分岐用継手不使用時の組立て状態を示す斜視図である。
【図３】図２の状態から接続管を給水源の取水口に接続した状態の側面図である。
【図４】図１の簡易給水栓セットにおける分岐用継手使用時の組立て状態の側面図である。
【図５】複数の給水栓設備を接続した状態の概略平面図である。
【符号の説明】
【００４３】
１は給水源（水道管）、２は接続管、３は分岐管、４は水栓管、５は水栓、６は分岐用継手、７はスタンド、９は収納バック、１０は給水栓ボックス、１１は取水口、Ａは挿口、Ｂは受口である。
【図１】
0003135891.tif 000003
【図２】
0003135891.tif 000004
【図３】
0003135891.tif 000005
【図４】
0003135891.tif 000006
【図５】
0003135891.tif 000007